(57)【要約】【課題】  本発明が解決しようとする課題は、２つの部材を固定する固定作業の効率を向上することが可能な固定構造、固定方法、及び、取付金具を固定する固定作業の効率を向上することが可能な照明器具を提供することである。【解決手段】  実施形態によれば、固定構造は、第１の部材に対して第２の部材を固定する固定構造である。前記第１の部材は、第１の基部と、前記第１の基部に形成された第１の孔部、及び、前記第１の孔部に対して所定の方向に沿って前方に形成された第２の孔部を備えたスライド係合孔部と、前記第１の基部に形成された前記第１の基部を貫通する厚み方向係合孔部と、前記厚み方向係合孔部に対して前記所定の方向に前方に配置された当接部と、を備える。前記第２の部材は、第２の基部と、前記第２の基部から突出したスライド係合部と、前記スライド係合部が前記第２の孔部内に配置された際に前記当接部に前記第１の基部の厚み方向に当接する厚み方向係合部と、を備える。【選択図】図５
2017084568.tif 000002
【特許請求の範囲】
【請求項１】
第１の部材に対して第２の部材を固定する固定構造であって、
前記第１の部材は、第１の基部と；前記第１の基部に形成され、前記第１の基部を貫通する第１の孔部、及び、前記第１の孔部に対して所定の方向に沿って前方に形成され、前記第１の基部を貫通し、かつ、前記第１の孔部に連通する第２の孔部を具備したスライド係合孔部と、前記第１の基部に形成され、前記第１の基部を貫通する厚み方向係合孔部と；前記厚み方向係合孔部に対して前記所定の方向に沿って前方に配置された当接部と；を具備し、
前記第２の部材は、第２の基部と；前記第２の基部から突出し、前記第１の孔部内と前記第２の孔部内とに配置可能な大きさを有し、前記第２の孔部内に配置された際に、前記第２の孔部の縁部に前記所定の方向及びこの逆方向に当接する大きさを有するスライド係合部と；前記第２の基部に対して前記スライド係合部が突出する側に配置され、前記スライド係合部が前記第１の孔部内に配置された際に前記厚み方向係合孔部内に配置され、且つ、前記スライド係合部が前記第２の孔部内に配置された際に前記当接部に前記第１の基部の厚み方向に当接する厚み方向係合部と；を具備する
ことを特徴とする固定構造。
【請求項２】
前記スライド係合孔部は、前記第１の孔部と前記第２の孔部とに連通して前記所定の方向に延び、幅が前記第１の孔部から前記第２の孔部にかけて漸次狭くなり、かつ、前記第１の基部を貫通する案内溝部を具備し、
前記スライド係合部は、前記所定の方向に沿って前端から後端にかけて前記所定の方向に対して傾斜して立ち上がり、前記後端から前記前端にかけて幅方向の長さが漸次短くなり、かつ、前記幅方向の最大長が、前記案内溝部の幅の最短長さよりも長い
ことを特徴とする請求項１に記載の固定構造。
【請求項３】
前記スライド係合部は、内部に、前記後端に開口する収容部を具備し、
前記第２の孔部の縁部は、前記収容部内に係合可能な突出部を具備する
ことを特徴とする請求項２に記載の固定構造。
【請求項４】
前記厚み方向係合部の前記所定の方向の前端部は、前記所定の方向に対して傾斜する傾斜部を具備する
ことを特徴とする請求項１に記載の固定構造。
【請求項５】
第１の部材に対して第２の部材をスライド方向にスライドすることにより前記第２の部材を前記第１の部材に固定する固定方法であって、
前記第１の部材は、第１の基部と；前記第１の基部に形成され、前記第１の基部を貫通する第１の孔部、及び、前記第１の孔部に対して前記スライド方向に沿って前方に形成され、前記第１の基部を貫通し、かつ、前記第１の孔部に連通する第２の孔部を具備したスライド係合孔部と；前記第１の基部に形成され、前記第１の基部を貫通する厚み方向係合孔部と；前記厚み方向係合孔部に対して前記スライド方向に沿って前方に配置された当接部と；を具備し、
前記第２の部材は、第２の基部と；前記第２の基部から突出し、前記第１の孔部内と前記第２の孔部内とに配置可能な大きさを有し、前記第２の孔部内に配置された際に、前記第２の孔部の縁部に前記スライド方向及びこの逆方向に当接する大きさを有するスライド係合部と；前記第２の基部に対して前記スライド係合部が突出する側に配置され、前記スライド係合部が前記第１の孔部内に配置された際に前記厚み方向係合孔部内に配置され、且つ、前記スライド係合部が前記第２の孔部内に配置された際に前記当接部に前記第１の基部の厚み方向に当接する厚み方向係合部と；を具備し、
前記スライド係合部を前記第１の孔部内に配置するとともに前記厚み方向係合部を前記厚み方向係合孔部内に配置し、
前記第２の部材を前記スライド方向にスライドすることにより、前記スライド係合部を前記第１の孔部から前記第２の孔部に移動して前記スライド方向及びこの逆方向に前記第２の孔部の縁部を前記スライド係合部に当接させ、かつ、前記厚み方向係合部を前記厚み方向に前記当接部に当接させる
ことを特徴とする固定方法。
【請求項６】
筐体、及び、前記筐体に設けられた電源回路を具備する器具本体と；
支持体、及び、前記支持体に設けられた光源を具備する光源モジュールと；
前記筐体と前記支持体との何れか一方に、固定された取付金具と；
前記筐体と前記支持体との他方に設けられ、前記取付金具に着脱可能に取り付けられる被取付部と；
を具備し、
前記一方は、第１の基部と；前記第１の基部に形成され、前記第１の基部を貫通する第１の孔部、及び、前記第１の孔部に対して所定の方向に沿って前方に形成され、前記第１の基部を貫通し、かつ、前記第１の孔部に連通する第２の孔部を具備したスライド係合孔部と；前記第１の基部に形成され、前記第１の基部を貫通する厚み方向係合孔部と；前記厚み方向係合孔部に対して前記所定の方向に沿って前方に配置された当接部と；を具備し、
前記取付金具は、第２の基部と；前記第２の基部から突出し、前記第１の孔部内と前記第２の孔部内とに配置可能な大きさを有し、前記第２の孔部内に配置された際に、前記第２の孔部の縁部に前記所定の方向及びこの逆方向に当接する大きさを有するスライド係合部と；前記第２の基部に対して前記スライド係合部が突出する側に配置され、前記スライド係合部が前記第１の孔部内に配置された際に前記厚み方向係合孔部内に配置され、且つ、前記スライド係合部が前記第２の孔部内に配置された際に前記当接部に前記第１の基部の厚み方向に当接する厚み方向係合部と；を具備する
ことを特徴とする照明器具。
【発明の詳細な説明】
【技術分野】
【０００１】
本発明の実施形態は、２つの部材を互いに固定する固定構造、２つの部材を互いに固定する固定方法、及び、固定構造を有する照明器具に関する。
【背景技術】
【０００２】
照明器具は、例えば、天井に固定される器具本体、器具本体に着脱可能に取り付けられる光源モジュールを有している。
【０００３】
器具本体、または、光源モジュールは取付金具を有し、他方は、取付金具に着脱可能に取り付けられるトーションバネ等の被取付部を有している。取付金具は、一般的に、ボルト等の取り付け部材、または、溶接により、固定されている。
【先行技術文献】
【特許文献】
【０００４】
【特許文献１】特許第５６１９２２８号
【発明の概要】
【発明が解決しようとする課題】
【０００５】
筐体等の部材に、取付金具等の部材を固定する固定作業の効率を向上することが求められている。
【０００６】
本発明が解決しようとする課題は、２つの部材を固定する固定作業の効率を向上することが可能な固定構造、及び、固定方法を提供することである。
【０００７】
また、本発明が解決しようとする課題は、取付金具を固定する固定作業の効率を向上することが可能な照明器具を提供することである。
【発明の効果】
【０００８】
本発明によれば、２つの部材を互いに固定する固定作業の効率を向上することが可能となる。また、本発明によれば、取付金具を固定する固定作業の効率を向上することが可能となる。
【課題を解決するための手段】
【０００９】
実施形態によれば、固定構造は、第１の部材に対して第２の部材を固定する固定構造である。
【００１０】
前記第１の部材は、第１の基部と、前記第１の基部に形成され、前記第１の基部を貫通する第１の孔部、及び、前記第１の孔部に対して所定の方向に沿って前方に形成され、前記第１の基部を貫通し、かつ、前記第１の孔部に連通する第２の孔部を具備したスライド係合孔部と、前記第１の基部に形成され、前記第１の基部を貫通する厚み方向係合孔部と、前記厚み方向係合孔部に対して前記所定の方向に沿って前方に配置された当接部と、を備える。
【００１１】
前記第２の部材は、第２の基部と、前記第２の基部から突出し、前記第１の孔部内と前記第２の孔部内とに配置可能な大きさを有し、前記第２の孔部内に配置された際に、前記第２の孔部の縁部に前記所定の方向及びこの逆方向に当接する大きさを有するスライド係合部と、前記第２の基部に対して前記スライド係合部が突出する側に配置され、前記スライド係合部が前記第１の孔部内に配置された際に前記厚み方向係合孔部内に配置され、且つ、前記スライド係合部が前記第２の孔部内に配置された際に前記当接部に前記第１の基部の厚み方向に当接する厚み方向係合部と、を備える。
【図面の簡単な説明】
【００１２】
【図１】図１は、一実施形態に係る照明器具を示す斜視図である。
【図２】図２は、同照明器具を示す断面図である。
【図３】図３は、同照明器具の器具本体を示す斜視図である。
【図４】図４は、同照明器具の第１の底壁部において、同照明器具の取付金具が固定される部位及びその近傍を示す斜視図である。
【図５】図５は、同取付金具が同第１の底壁部に固定された状態を示す斜視図である。
【図６】図６は、同取付金具を示す平面図である。
【図７】図７は、同取付金具を示す側面図である。
【図８】図８は、同取付金具が同第１の底壁部に固定された状態を同第１の底壁部の底面側から見た斜視図である。
【図９】図９は、同取付金具を同第１の底壁部に取り付ける取り付け手順を示す斜視図である。
【図１０】図１０は、同取付金具を同第１の底壁部に取り付ける取り付け手順を示す斜視図である。
【図１１】図１１は、同照明器具の光源モジュールを示す分解斜視図である。
【図１２】図１２は、同光源モジュールの保持部材及びその近傍を示す斜視図である。
【図１３】図１３は、同光源モジュールの同器具本体への取り付け手順の一例を示す斜視図である。
【図１４】図１４は、同光源モジュールの同器具本体への取り付け手順の一例を示す斜視図である。
【図１５】図１５は、同取付金具の変形例を示す平面図である。
【発明を実施するための形態】
【００１３】
照明器具１は、器具本体２と、光源モジュール３と、取付金具７と、被取付部３２と、を有する。器具本体２は、筐体４、及び、筐体４に設けられた電源回路５を有する。
【００１４】
光源モジュール３は、支持体３０、及び、支持体３０に設けられた光源３４を有する。取付金具７は、筐体４と支持体３０との何れか一方に固定される。取付金具７は、本実施形態では、一例として、筐体４に設けられる。
【００１５】
被取付部３２は、筐体４と支持体３０との他方に設けられ、取付金具７に着脱可能に取り付けられる。被取付部３２は、本実施形態では、一例として、支持体３０に設けられる。
【００１６】
筐体４は、筐体用底壁部１２と、筐体用底壁部１２に形成され、筐体用底壁部１２を貫通する第１の孔部１７ａ、及び、第１の孔部１７ａに対してスライド方向Ｓ１に沿って前方に形成され、筐体用底壁部１２を貫通し、かつ、第１の孔部１７ａに連通する第２の孔部１７ｂを有したスライド係合孔部１７と、筐体用底壁部１２に形成され、筐体用底壁部１２を貫通する厚み方向係合孔部１８と、厚み方向係合孔部１８に対してスライド方向Ｓ１に沿って前方に配置された部分１２ｃと、を有する。
【００１７】
取付金具７は、金具用基部２０と、金具用基部２０から突出し、第１の孔部１７ａ内と第２の孔部１７ｂ内とに配置可能な大きさを有し、第２の孔部１７ｂ内に配置された際に、第２の孔部１７ｂの縁部にスライド方向Ｓ１及びこの逆方向Ｓ２に当接する大きさを有するスライド係合部２１と、金具用基部２０に対してスライド係合部２１が突出する側に配置され、スライド係合部２１が第１の孔部１７ａ内に配置された際に厚み方向係合孔部１８内に配置され、且つ、スライド係合部２１が第２の孔部１７ｂ内に配置された際に部分１２ｃに筐体用底壁部１２の厚み方向に当接する厚み方向係合部２３と、を有する。
【００１８】
また、スライド係合孔部１７は、第１の孔部１７ａと第２の孔部１７ｂとに連通してＳ１スライド方向に延び、幅が第１の孔部１７ａから第２の孔部１７ｂにかけて漸次狭くなり、かつ、筐体用底壁部１２を貫通する第１の案内溝部１７ｃを有する。スライド係合部２１は、スライド方向Ｓ１に沿って前端２１ａから後端２１ｂにかけてスライド方向Ｓ１に対して傾斜して立ち上がり、後端２１ｂから前端２１ａにかけて幅方向の長さが漸次短くなり、かつ、幅方向の最大長が、第１の案内溝部１７ｃの幅の最短長さよりも長い。
【００１９】
また、スライド係合部２１は、内部に、後端２１ｂに開口する収容部２１ｄを有する。第２の孔部１７ｂの縁部は、収容部２１ｄ内に係合可能な係合用突出部１７ｆを有する。
【００２０】
また、厚み方向係合部２３のスライド方向Ｓ１の前端部は、スライド方向Ｓ１に対して傾斜する傾斜部２３ｃを有する。
【００２１】
一実施形態に係る照明器具１を、図１〜１５を用いて説明する。
【００２２】
図１は、照明器具１を示す斜視図である。  
図２は、照明器具１を示す断面図である。
【００２３】
図１，２に示すように、照明器具１は、天井等の被固定部１ａに固定される器具本体２、及び、器具本体２に着脱可能に取り付けられる光源モジュール３を有している。
【００２４】
図３は、器具本体２を示す斜視図である。
【００２５】
図３に示すように、器具本体２は、天井等の被固定部１ａに固定される筐体（第１の部材）４、筐体４内に配置された電源回路５、筐体４内に配置された端子台６、及び、筐体４にスライドすることにより固定された取付金具（第２の部材）７を有している。
【００２６】
筐体４は、天井等の被固定部に固定される筐体本体１０、及び、筐体本体１０の両端に配置された端壁部１１を有している。
【００２７】
筐体本体１０は、図２に示すように、光源モジュール３を内側に配置可能な、断面凹形状に形成されている。具体的には、筐体本体１０は、天井等の被固定部側に配置される矩形状の筐体用底壁部（第１の基部）１２、筐体用底壁部１２の両縁から立ち上がる筐体用側壁部１３、筐体用側壁部１３の先端から筐体本体１０の外側であってかつ筐体用底壁部１２側に延出する延出壁部１４を有している。
【００２８】
筐体用底壁部１２は、一方向に長い矩形状に形成されている。
【００２９】
図４は、筐体用底壁部１２において取付金具７が固定される部位及びその近傍を示す斜視図である。
【００３０】
図４に示すように、筐体用底壁部１２には、筐体４を被固定部に固定する為のボルト等の取り付け部材が通る貫通孔等、複数の貫通孔１５が形成されている。
【００３１】
また、筐体用底壁部１２は、取付金具７がスライドすることにより係合する係合孔部１６を有している。係合孔部１６は、スライド係合孔部１７、及び、厚み方向係合孔部１８を有している。係合孔部１６の詳細は、後で説明する。
【００３２】
筐体用側壁部１３は、図２に示すように、筐体用底壁部１２に沿って延びている。延出壁部１４は、筐体用側壁部１３に沿って延びている。延出壁部１４の表面は、光源モジュール３から照射された光を反射可能な反射板を構成している。端壁部１１は、筐体本体１０の両端に設けられており、筐体本体１０の両端開口を閉塞している。
【００３３】
電源回路５は、外部から供給される電力を光源モジュール３に対応した電力に変換した後、光源モジュール３に供給可能に構成されている。
【００３４】
端子台６は、電源回路５と光源モジュール３との電気的な接続を可能に構成されている。具体的には、端子台６は、電源回路５に接続されている。また、端子台６は、光源モジュール３側の配線が接続可能に形成されている。端子台６を介して、電源回路５からの電力が光源モジュール３に供給される。
【００３５】
取付金具７は、筐体用底壁部１２に対して、取付金具７に予め設定されたスライド方向Ｓ１にスライドすることにより、固定可能に形成されている。本実施形態では、スライド方向Ｓ１は、一例として直線方向であり、筐体用底壁部１２の長手方向に平行な方向のうちの一方向である。すなわち、スライド方向Ｓ１は、予め設定された所定の方向であり、取付金具７は、この所定の方向に沿ってスライドされることとなる。
【００３６】
本実施形態では、一例として、取付金具７は、一対設けられており、筐体用底壁部１２の長手方向に離間して配置されている。また、取付金具７は、互いに向かい合って配置されており、一方の取付金具７に設定されたスライド方向Ｓ１は、他方の取付金具７のスライド方向Ｓ１に対して逆方向となっている。
【００３７】
図５は、取付金具７が筐体用底壁部１２に固定された状態を示す斜視図である。  
図６は、取付金具７を示す平面図である。  
図７は、取付金具７を示す側面図である。
【００３８】
図５，６，７に示すように、取付金具７は、筐体用底壁部１２の内面１２ａに面して配置される金具用基部（第２の基部）２０、金具用基部２０に形成されたスライド係合部２１、金具用基部２０においてスライド係合部２１に隣接した部分に形成された第１の溝部２２、金具用基部２０に形成された厚み方向係合部２３、金具用基部２０において厚み方向係合部２３の周囲に形成された第２の溝部２４及び、金具用基部２０から立ち上がる縦壁部２５を有している。取付金具７は、例えば、１枚の金属板に対して、折り曲げ加工等の機械加工を施すことにより、形成されている。
【００３９】
金具用基部２０は、平板形状に形成されている。金具用基部２０は、筐体用底壁部１２において取付金具７が固定される部位近傍に形成された貫通孔１５との干渉を避ける形状を有している。具体的には、金具用基部２０のスライド方向Ｓ１に前縁部の中央には、貫通孔１５との干渉を避ける凹み部２０ａを有している。換言すると、金具用基部２０のスライド方向Ｓ１の前縁部の幅方向の両端部には、スライド方向Ｓ１に突出する突出部２０ｂが形成されている。金具用基部２０において筐体用底壁部１２の内面１２ａに対向する底面２０ｃは、平面に形成されている。
【００４０】
スライド係合部２１は、例えば複数形成されている。本実施形態では、スライド係合部は、一例として、一対形成されている。さらに具体的には、本実施形態では、スライド係合部２１は、突出部２０ｂに１つずつ形成されている。
【００４１】
スライド係合部２１は、図７に示すように、金具用基部２０の底面２０ｃに対して突出している。スライド係合部２１は、その底面２１ｃが、スライド方向Ｓ１に沿って前端２１ａから後端２１ｂ側に向かって立ち上がる曲面、または、スライド方向Ｓ１に対して傾斜する傾斜面に形成されている。また、スライド係合部２１の底面２１ｃは、後端２１ｂから前端２１ａにかけて、その幅が狭まる形状に形成されている。本実施形態では、スライド係合部２１の底面２１ｃは、一例として、前端２１ａから後端２１ｂ側に向かって立ち上がる、略１／４球面形状に形成されている。
【００４２】
また、スライド係合部２１は、断面凹状に形成されており、後端２１ｂは、開口している。この為、スライド係合部２１内には、収容部２１ｄが形成されている。
【００４３】
第１の溝部２２は、スライド係合部２１に対してスライド方向Ｓ１に沿って後方に形成されている。第１の溝部２２は、スライド係合部２１の後端２１ｂに沿って延びている。第１の溝部２２は、金具用基部２０を貫通している。
【００４４】
厚み方向係合部２３は、図６に示すように、例えば、複数形成されている。本実施形態では、厚み方向係合部２３は、一対形成されている。さらに具体的には、本実施形態では、厚み方向係合部２３は、スライド係合部２１に対して、スライド方向Ｓ１に後方に形成されている。
【００４５】
厚み方向係合部２３は、金具用基部２０に対してその厚み方向にずれた位置に位置する本体部２３ａ、及び、本体部２３ａと金具用基部２０とを連結する連結部２３ｂを有している。
【００４６】
本体部２３ａは、金具用基部２０に対して、金具用基部２０の底面２０ｃ側にずれた位置に配置されている。本体部２３ａは、その表面２３ｄと金具用基部２０の底面２０ｃとの間が、筐体用底壁部１２の厚みと略同じ幅となる位置に配置されている。本体部２３ａは、例えば平面視矩形状に形成されている。本体部２３ａの表面２３ｄは、例えば、金具用基部２０の底面２０ｃと平行な平面に形成されている。
【００４７】
本体部２３ａのスライド方向Ｓ１に沿って前端部には、図７に示すように、金具用基部２０から離れる方向に傾斜する傾斜部２３ｃが形成されている。傾斜部２３ｃの表面２３ｆは、スライド方向Ｓ１に対して傾斜するとともに、幅方向Ｗに平行な平面に形成されている。なお、幅方向Ｗは、金具用基部２０の底面２０ｃ及び表面において、スライド方向Ｓ１に直交する方向である。
【００４８】
連結部２３ｂは、本体部２３ａの金具用基部２０側の縁において、傾斜部２３ｃ及び傾斜部２３ｃよりもスライド方向Ｓ１に沿って若干後方の位置までを除いた部分を、金具用基部２０に連結している。連結部２３ｂは、金具用基部２０から屈曲して延出している。
【００４９】
第２の溝部２４は、厚み方向係合部２３において連結部２３ｂを除いた部分と金具用基部２０との間に形成されており、金具用基部２０を貫通している。
【００５０】
図５，６に示すように、縦壁部２５は、金具用基部２０のスライド方向Ｓ１に沿って後端縁に形成されている。縦壁部２５には、係止用貫通孔２５ａが形成されている。係止用貫通孔２５ａの縁において、金具用基部２０と反対側の部分には、係止用貫通孔２５ａの内側に向かって突出する係止部２５ｂが形成されている。
【００５１】
ここで、係合孔部１６の詳細について説明する。係合孔部１６は、図４に示すように、スライド係合部２１が係合可能に形成されたスライド係合孔部１７、及び、厚み方向係合部２３が係合可能に形成された厚み方向係合孔部１８を有している。
【００５２】
図８は、取付金具７が筐体用底壁部１２に固定された状態を、筐体用底壁部１２の底面１２ｂ側から見た斜視図である。
【００５３】
また、図８は、スライド係合部２１がスライド係合孔部１７に係合し、かつ、厚み方向係合部２３が厚み方向係合孔部１８に係合した状態を示している。
【００５４】
図４，８に示すように、スライド係合孔部１７は、第１の孔部１７ａ、第１の孔部１７ａに対してスライド方向Ｓ１に沿って前方に配置された第２の孔部１７ｂ、及び、第１の孔部１７ａと第２の孔部１７ｂに連通する、スライド方向Ｓ１に延びた第１の案内溝部１７ｃを有している。
【００５５】
第１の孔部１７ａは、取付金具７のスライド係合部２１を内側に配置可能な大きさを有している。第１の孔部１７ａは、例えば、平面視で矩形状に形成されている。第１の孔部１７ａの幅方向Ｗ１の長さは、スライド係合部２１の幅方向Ｗの長さに対して若干長い。
【００５６】
なお、幅方向Ｗ１は、スライド方向Ｓ１に対して直交するとともに、筐体用底壁部１２の面１２ａ，１２ｂに平行な方向である。取付金具７が筐体用底壁部１２に固定されると、幅方向Ｗ，Ｗ１は、平行となる。
【００５７】
第２の孔部１７ｂは、スライド係合部２１を内側に配置可能な大きさを有している。第２の孔部１７ｂは、例えば、平面視で半円形状に形成されている。第２の孔部１７ｂの幅方向Ｗ１の最大長は、スライド係合部２１の幅方向Ｗの最大長と同じ、または、略同じ長さを有している。
【００５８】
第２の孔部１７ｂの縁部には、第２の孔部１７ｂの内側に向かって突出する係合用突出部１７ｆが形成されている。本実施形態では、一例として、係合用突出部１７ｆは、第２の孔部１７ｂの縁部において、スライド方向Ｓ１に後ろ側となる部分と、第１の案内溝部１７ｃの縁部１７ｄにおいて一端１７ｅの近傍の部分とによって、係合用突出部１７ｆが形成されている。
【００５９】
係合用突出部１７ｆは、例えば、先細となる形状を有しており、第２の孔部１７ｂ内にスライド係合部２１が配置された状態において、先端部がスライド係合部２１の収容部２１ｄ内に収容可能に形成されている。さらに、係合用突出部１７ｆの先端部は、スライド係合部２１の後端２１ｂに係合可能に形成されている。
【００６０】
第１の案内溝部１７ｃは、スライド方向Ｓ１に沿って連結部２３ｂと略同じ長さを有している。第１の案内溝部１７ｃは、第１の孔部１７ａから第２の孔部１７ｂに向かってその幅が、漸次狭まる形状を有している。この為、第１の案内溝部１７ｃの縁は、スライド方向Ｓ１に対して傾斜している。
【００６１】
第１の案内溝部１７ｃの第２の孔部１７ｂ側の一端１７ｅは、第２の孔部１７ｂの幅方向Ｗの中央部に連通している。第１の案内溝部１７ｃの一端１７ｅの幅は、第１の案内溝部１７ｃの幅において最短となり、スライド係合部２１の幅方向Ｗの最大長よりも短い。
【００６２】
厚み方向係合孔部１８は、スライド係合孔部１７に対してスライド方向Ｓ１に沿って後方に形成されている。厚み方向係合孔部１８は、厚み方向係合部２３を内側に配置可能な第３の孔部１８ａ、及び、第３の孔部１８ａからスライド方向Ｓ１に沿って前方に延出する第２の案内溝部１８ｂを有している。
【００６３】
第３の孔部１８ａは、例えば、平面視が矩形状に形成されている。第２の案内溝部１８ｂは、厚み方向係合部２３の連結部２３ｂを内側に配置可能に形成されている。具体的には、第２の案内溝部１８ｂは、第３の孔部１８ａのスライド方向Ｓ１に沿って前縁の幅方向内側端から、スライド方向Ｓ１に沿って延出している。
【００６４】
第２の案内溝部１８ｂの幅は、連結部２３ｂの幅に対して若干大きい幅を有している。第２の案内溝部１８ｂは、スライド方向Ｓ１に沿って連結部２３ｂのスライド方向Ｓ１に沿う長さと略同じ長さを有している。
【００６５】
次に、取付金具７の筐体用底壁部１２への取り付け方法について、説明する。
【００６６】
図９，１０は、取付金具７を筐体用底壁部１２に取り付ける際の取り付け手順を示す斜視図である。なお、図９，１０は、筐体用底壁部１２を、底面１２ｂ側から見た状態を示している。
【００６７】
まず、図９に示すように、スライド係合部２１をスライド係合孔部１７の第１の孔部１７ａ内に配置し、かつ、厚み方向係合部２３の本体部２３ａを厚み方向係合孔部１８の第３の孔部１８ａ内に配置する。
【００６８】
次に、図１０に示すように、取付金具７を、案内溝部１７ｃ，１８ｂに沿って、スライド方向Ｓ１にスライドする。取付金具７を案内溝部１７ｃ，１８ｂに沿ってスライドすることにより、スライド係合部２１が第１の案内溝部１７ｃに沿って第１の孔部１７ａから第２の孔部１７ｂへ向かって移動する。
【００６９】
また、厚み方向係合部２３は、傾斜部２３ｃにより、筐体用底壁部１２の底面１２ｂ上にスムーズに乗り上げる。そして、厚み方向係合部２３の本体部２３ａの表面２３ｄが筐体用底壁部１２の底面１２ｂに接触した状態で、スライドされる。すなわち、筐体用底壁部１２において第３の孔部１８ａに対してスライド方向Ｓ１に前方に位置する部分１２ｃが、本体部２３ａと筐体用底壁部１２の厚み方向に当接する当接部として機能する。厚み方向係合部２３の連結部２３ｂは、第２の案内溝部１８ｂ内を移動する。
【００７０】
第１の案内溝部１７ｃは、その幅が第１の孔部１７ａから第２の孔部１７ｂにかけて漸次狭まる形状を有している。この為、取付金具７をスライド方向Ｓ１に沿ってスライドすると、スライド係合部２１は、１／４球面形状となる底面２１ｃによって、第１の案内溝部１７ｃの縁部１７ｄを押し広げる。
【００７１】
一方、スライド係合部２１は、第１の案内溝部１７ｃの縁部１７ｄに押圧されることによって、縁部１７ｄにより第１の案内溝部１７ｃから押し出される方向に押圧される。しかしながら、厚み方向係合部２３が底面１２ｂに接触していることによって、取付金具７が筐体用底壁部１２から離れることが防止されるので、スライド係合部２１が第１の案内溝部１７ｃから押し出されることが防止される。
【００７２】
取付金具７がスライド方向Ｓ１にさらにスライドされると、図８に示すように、スライド係合部２１が、両係合用突出部１７ｆ間を通過してスライド係合孔部１７の第２の孔部１７ｂ内に進入する。
【００７３】
スライド係合部２１が第２の孔部１７ｂ内に配置されることにより、スライド係合部２１の底面２１ｃが第２の孔部１７ｂの縁部に当接するので、取付金具７がスライド方向Ｓ１にさらに移動することが防止される。
【００７４】
さらに、スライド係合部２１が第２の孔部１７ｂ内に進入すると、縁部１７ｄに対するスライド係合部２１による押圧状態が解除される。この為、スライド係合部２１に押し広げられた第１の案内溝部１７ｃの縁部１７ｄが、その弾性力により、押し広げられた状態から元との状態に戻る。第１の案内溝部１７ｃの縁部１７ｄが弾性力により戻ると、係合用突出部１７ｆの先端部がスライド係合部２１の後端開口から収容部２１ｄ内に入り込む。
【００７５】
係合用突出部１７ｆの先端部がスライド係合部２１の収容部２１ｄ内に入り込むことによって、係合用突出部１７ｆがスライド係合部２１の後端縁にスライド方向Ｓ１に係合する。この係合により、取付金具７が上記スライド方向Ｓ１の逆方向Ｓ２に移動することが防止される。
【００７６】
このように、スライド係合部２１の底面２１ｃがスライド方向Ｓ１にスライド係合孔部１７の第２の孔部１７ｂの縁に当接し、かつ、係合用突出部１７ｆの先端部がスライド係合部２１の後端縁に係合することにより、スライド係合部２１が第２の孔部１７ｂ内に固定される。この為、取付金具７が、筐体用底壁部１２の面方向に固定される。
【００７７】
さらに、厚み方向係合部２３の本体部２３ａが筐体用底壁部１２の底面１２ｂに筐体用底壁部１２の厚み方向に接触することにより、取付金具７が、筐体用底壁部１２に、筐体用底壁部１２の厚み方向に固定される。
【００７８】
このように構成された器具本体２は、図２に示すように、筐体４の筐体用底壁部１２の底面１２ｂを天井等の被固定部１ａに向けた姿勢で被固定部にねじ等の取り付け部材により固定される。この為、取付金具７は、筐体用底壁部１２に対して下方に突出することとなる。
【００７９】
図１１は、光源モジュール３を示す分解斜視図である。
【００８０】
図１１に示すように、光源モジュール３は、支持体３０、支持体３０に固定された保持部材３１、保持部材３１に保持され、取付金具７に着脱可能に取り付けられる被取付部３２（図１２に示す）、支持体３０に支持された基板３３、基板３３に設けられた光源３４、支持体３０に取り付けられるカバー３５、及び、カバー３５の両端に設けられた端壁部３６を有している。
【００８１】
支持体３０は、図２に示すように、断面凹形状に形成されている。具体的には、支持体３０は、支持体用底壁部３７、及び、支持体用底壁部３７の両縁から立ち上がる支持体用側壁部３８を有している。
【００８２】
支持体用底壁部３７は、一方向に長い平形状を有している。支持体用側壁部３８は、支持体用底壁部３７に沿って延びている。支持体用側壁部３８の外面には、カバー３５が係合可能なカバー用係合部３９が形成されている。カバー用係合部３９は、支持体用側壁部３８の先端部に形成されており、外側に突出している。また、カバー用係合部３９は、支持体用側壁部３８に沿って延びている。
【００８３】
図１２は、保持部材３１及びその周辺を示す斜視図である。
【００８４】
図１２に示すように、保持部材３１は、支持体３０の支持体用底壁部３７及び支持体用側壁部３８の内面に固定される。保持部材３１は、取付金具７と同数設けられている。保持部材３１は、光源モジュール３が器具本体２に取り付けられた際に取付金具７と対向する部位に設けられている。
【００８５】
保持部材３１は、支持体用底壁部３７及び支持体用側壁部３８に沿って形成され、支持体用底壁部３７及び支持体用側壁部３８に固定された保持部材用基部４０、保持部材用基部４０から延出し、支持体用側壁部３８との間にカバー３５を配置可能な側壁部４１、及び、被取付部３２が固定される固定部４２を有している。
【００８６】
保持部材用基部４０は、支持体用底壁部３７及び支持体用側壁部３８に沿う断面凹形状に形成されている。側壁部４１は、保持部材用基部４０の幅方向の両端に形成されている。側壁部４１は、支持体用側壁部３８との間に隙間を有している。
【００８７】
固定部４２は、保持部材用基部４０の幅方向両端部に１つずつ形成されている。固定部４２は、被取付部３２の端部を固定可能に形成されている。
【００８８】
被取付部３２は、例えば、一対のトーションばねを連結して枠形状に形成されている。被取付部３２は、その端部４３が固定部４２に固定される。被取付部３２は、端部４３側を支点として、第１の位置Ｐ１及び第２の位置Ｐ２の間で変位可能である。
【００８９】
第１の位置Ｐ１は、通常位置する位置であり、被取付部３２に対して外力が加わっていない状態において、被取付部３２が位置する位置である。第１の位置Ｐ１では、被取付部３２は、支持体用底壁部３７に沿って延びている。
【００９０】
図１３は、被取付部３２が第２の位置Ｐ２にある状態を示す斜視図である。
【００９１】
図１３に示すように、第２の位置Ｐ２は、被取付部３２が、支持体用底壁部３７に対して立ち上がる位置である。第２の位置Ｐ２は、被取付部３２をその弾性力に抗って第１の位置Ｐ１から起立した位置である。
【００９２】
基板３３は、図１１に示すように、例えば、支持体用底壁部３７に沿って延びる板形状である。基板３３は、支持体用底壁部３７の底面に支持される。基板３３には、図示しない配線が設けられている。この配線は、基板３３から延出している。
【００９３】
光源３４は、基板３３上に設けられている。光源３４は、例えばＬＥＤであり、上述の配線に電気的に接続されている。このように、本実施形態では、光源３４は、一例として、基板３３を介して、支持体３０に支持されている。
【００９４】
カバー３５は、図２に示すように、断面凹状に形成されている。カバー３５の縁部は、支持体３０の支持体用側壁部３８と保持部材３１の側壁部４１との間に配置される。カバー３５の縁部には、カバー用係合部３９に係合可能なカバー用被係合部４４が形成されている。カバー用被係合部４４は、縁部から内側に突出しており、縁部に沿って延びている。
【００９５】
このように構成された光源モジュール３の器具本体２への取り付け方法について説明する。
【００９６】
図１３，１４は、光源モジュール３の器具本体２への取り付け手順の一例を示す斜視図である。
【００９７】
なお、図１３，１４では、器具本体２は、取付金具７の一部のみ示しており、他の部分については図示を省略している。
【００９８】
まず、図１３に示すように、光源モジュール３を、被取付部３２が取付金具７に向く姿勢で、器具本体２に対向させる。次に、被取付部３２を第１の位置Ｐ１から引き起こすことにより、第２の位置Ｐ２に移動する。次に、被取付部３２の先端を、取付金具７の係止部２５ｂに係止させる。
【００９９】
次に、基板３３から延出する配線を、端子台６に接続する。配線が端子台６に接続されることにより、電源回路５から出力された電力が、光源３４に供給されるようになる。
【０１００】
次に、図１４に示すように、光源モジュール３を、器具本体２に向かって押し込む。この際に、被取付部３２は、被取付部３２自体の弾性力により、第２の位置Ｐ２から第１の位置Ｐ１に戻る。この為、被取付部３２は、第１の位置Ｐ１にある状態において、取付金具７の係止部２５ｂに係止した状態が、図２に示すように維持される。このように維持されることにより、被取付部３２の弾性力により、図２に示すように、光源モジュール３が器具本体２に取り付けられる。
【０１０１】
このように構成された照明器具１では、取付金具７は、スライド係合部２１、及び、厚み方向係合部２３を有し、筐体本体１０の筐体用底壁部１２は、スライド係合孔部１７、及び、厚み方向係合孔部１８を有している。
【０１０２】
この為、取付金具７を筐体用底壁部１２に対してスライド方向Ｓ１にスライドするだけで、スライド係合部２１をスライド係合孔部１７の第２の孔部１７ｂに係合可能であり、かつ、厚み方向係合部２３の本体部２３ａを厚み方向係合孔部１８に係合可能である。
【０１０３】
スライド係合部２１がスライド係合孔部１７の第２の孔部１７ｂに係合することにより、取付金具７は、筐体用底壁部１２の面方向に移動することが防止される。厚み方向係合部２３が厚み方向係合孔部１８に係合することにより、取付金具７が筐体用底壁部１２から離れる方向に移動することが防止される。
【０１０４】
取付金具７は、筐体用底壁部１２の面方向に移動することが防止され、かつ、筐体用底壁部１２から離れる方向に移動することが防止されることにより、筐体用底壁部１２に固定される。
【０１０５】
このように、取付金具７を筐体用底壁部１２に対してスライド方向Ｓ１にスライドするだけで、取付金具７を筐体用底壁部１２に固定することができるので、取付金具７の筐体本体１０への固定作業の作業効率を向上することができる。
【０１０６】
さらに、取付金具７の固定には、ねじ等の固定部材が不要となるので、照明器具１の部品点数の増加を防止できる。
【０１０７】
また、スライド係合部２１を一対形成するとともにこれらスライド係合部２１を互いに取付金具７の金具用基部２０の幅方向に離間した位置に配置し、かつ、厚み方向係合部２３をスライド係合部２１に対してスライド方向Ｓ１に沿って後方の位置に形成することにより、金具用基部２０において仮想矩形の頂点となる位置に、それぞれ、スライド係合部２１または厚み方向係合部２３のいずれかかが配置されることとなる。
【０１０８】
この為、取付金具７が筐体用底壁部１２に固定された状態を、安定して維持することができる。
【０１０９】
また、厚み方向係合部２３の本体部２３ａの前端部に傾斜部２３ｃを形成することにより、取付金具７をスライドする際に、本体部２３ａが筐体用底壁部１２の底面１２ｂ上にスムーズに乗り上がることが可能となるので、取付金具７の筐体本体１０への固定作業をスムーズに行うことができる。
【０１１０】
また、スライド係合部２１の底面２１ｃが、スライド方向Ｓ１に前端２１ａから後端２１ｂにかけて滑らかに立ち上がる１／４球面状に形成されることにより、スライド係合部２１がスライド係合孔部１７の第１の案内溝部１７ｃ内をスムーズに移動するようになるので、取付金具７をスムーズにスライドすることが可能となる。
【０１１１】
以上説明した本実施形態によれば、取付金具７をスライドすることによって底壁部に固定できるので、取付金具７の筐体本体１０への固定作業の作業効率を向上することができる。
【０１１２】
なお、本実施形態では、スライド係合部２１に対して、スライド方向Ｓ１に沿って後方に厚み方向係合部２３が形成されているが、これに限定されない。
【０１１３】
図１５は、取付金具７の変形例を示す平面図である。
【０１１４】
図１５に示すように、スライド係合部２１は、厚み方向係合部２３に対してスライド方向Ｓ１に沿って後方に配置されてもよい。この場合、スライド係合孔部１７、及び、厚み方向係合孔部１８は、図１５に示すスライド係合部２１及び厚み方向係合部２３に対応した位置に形成される。
【０１１５】
スライド係合部２１が、厚み方向係合部２３に対してスライド方向Ｓ１に沿って後方に形成されることにより、取付金具７の固定作業をより一層効率よく行うことができる。この点について、具体的に説明する。
【０１１６】
取付金具７をスライドする際に作業者が縦壁部２５を把持して当該スライドを行う場合、スライド係合部２１が第１の案内溝部１７ｃの縁部１７ｄにより第１の案内溝部１７ｃから押し出す力を受けると、取付金具７には、縦壁部２５と金具用基部２０との交点となる金具用基部２０の後縁を支点として、筐体用底壁部１２から離れる方向に回転するモーメントが作用する。
【０１１７】
しかしながら、スライド係合部２１に対してスライド方向Ｓ１に沿って前方に厚み方向係合部２３が形成されることにより、金具用基部２０の後端に対してスライド係合部２１よりも離れた位置に厚み方向係合部２３が配置されることとなる。
【０１１８】
この為、上述のモーメントにより生じる厚み方向係合部２３の本体部２３ａと筐体用底壁部１２の底面１２ｂとの間に作用する摩擦力を小さくすることができるので、取付金具７をより一層スムーズにスライドすることができるようになる。取付金具７をスムーズにスライドすることができることにより、取付金具７の筐体本体１０への固定作業の効率を向上することができる。
【０１１９】
また、本実施形態では、スライド係合部２１の底面２１ｃは、１／４球面状に形成されている。他の例としては、底面２１ｃは、円錐状に形成されてもよい。または、底面２１ｃは、三角錐状に形成されてもよい。
【０１２０】
要するに、スライド係合部２１は、第１の案内溝部１７ｃ内を移動可能となるように、スライド方向Ｓ１に沿って前端から後端にかけてスライド方向Ｓ１に対して傾斜して立ち上がるとともに、スライド方向Ｓ１に沿って後端から前端にかけて、その幅が狭まる形状であれば良い。この形状の一例として、本実施形態で用いた１／４の球面形状、上述の円錐形状、及び、上述の三角錐形状がある。
【０１２１】
また、本実施形態では、取付金具７は、器具本体２の筐体４に設けられ、被取付部３２は、光源モジュール３の支持体３０に設けられている。他の例としては、取付金具７が光源モジュール３の支持体３０に設けられ、被取付部３２が、器具本体２の筐体４に設け荒れてもよい。この場合、スライド係合孔部１７及び厚み方向係合孔部１８は、支持体３０の支持体用底壁部３７に形成されることとなる。
【０１２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２３】
１…照明器具、２…器具本体、３…光源モジュール、４…筐体（第１の部材）、５…電源回路、７…取付金具（第２の部材）、１２…筐体用底壁部（第１の基部）、１２ｃ…部分（当接部）、１７…スライド係合孔部、１７ａ…第１の孔部、１７ｂ…第２の孔部、１７ｃ…第１の案内溝部、１７ｆ…係合用突出部（突出部）、１８…厚み方向係合孔部、２０…金具用基部、２１…スライド係合部、２１ａ…前端、２１ｂ…後端、２１ｄ…収容部、２３…厚み方向係合部、２３ｃ…傾斜部、３０…支持体（第１の部材）、３２…被取付部、３４…光源、３７…支持体用底壁部（第１の基部）。
【図１】
2017084568.tif 000003
【図２】
2017084568.tif 000004
【図３】
2017084568.tif 000005
【図４】
2017084568.tif 000006
【図５】
2017084568.tif 000007
【図６】
2017084568.tif 000008
【図７】
2017084568.tif 000009
【図８】
2017084568.tif 000010
【図９】
2017084568.tif 000011
【図１０】
2017084568.tif 000012
【図１１】
2017084568.tif 000013
【図１２】
2017084568.tif 000014
【図１３】
2017084568.tif 000015
【図１４】
2017084568.tif 000016
【図１５】
2017084568.tif 000017